(57)【特許請求の範囲】
【請求項１】
関節式に接続された格子ロッドを有する格子支持構造体であって、
第１構造体が、第１形態と第２形態とをとり、
上記第１形態は、上記第２形態と比べて縮小した断面を有しているとともに、各断面が拡張される第２形態に拡張可能であり、
上記第２形態は、両自由端に多角形断面を有し且つ両自由端に向かって最大拡張断面から当該多角形断面へ次第に細くなる、対の切頭角錐構造によって定義され、
複数の第１構造体が互いに連結されることができ、
上記連結された第１構造体は、上記最大拡張断面の端点を繋ぎ合わせる追加格子ロッドとともに、格子ロッドによって接続されることにより、第２構造体を形成することができることを特徴とする格子支持構造体。
【請求項２】
請求項１記載の格子支持構造体において、
格子支持構造体の断面が三角形又は矩形であることを特徴とする格子支持構造体。
【請求項３】
請求項１記載の格子支持構造体において、
格子支持構造体の断面が正方形であることを特徴とする格子支持構造体。
【請求項４】
請求項１〜３のいずれか１つに記載の格子支持構造体において、
上記最大拡張断面の領域には、互いに関節式に接続されているとともに、断面を拡張し及び折畳むことを可能とする支柱が備えられていることを特徴とする格子支持構造体。
【請求項５】
請求項４記載の格子支持構造体において、
上記関節式に接続されている支柱は、折畳まれた第１構造体の両自由端の断面に対応する中心部を構成する支柱と、クロス支柱とを有し、当該クロス支柱は当該中心部のそれぞれの角から最大拡張断面のそれぞれの角まで延びていることを特徴とする格子支持構造体。
【発明の詳細な説明】
【技術分野】
【０００１】
本発明は、関節式に接続された格子ロッドを備える格子支持構造体に関する。
【背景技術】
【０００２】
格子支持構造体は、例えば、一時的にのみ組立て、輸送時には再び解体しなければならないような構造で使用する。格子支持構造体の個々の部材は断面が大きく、特に輸送の際に、輸送空間の多くを占めてしまうという不都合がある。
【発明の開示】
【発明が解決しようとする課題】
【０００３】
本発明の目的は、小空間で輸送可能な格子支持構造体のための格子構造を提供することにある。そのため、このような格子支持構造体の輸送時の輸送容量を最小化する必要がある。
【課題を解決するための手段】
【０００４】
本発明によると、請求項１の特徴の組合せにしたがって、関節式に接続された格子ロッドを備える格子支持構造体を適用し、上記の目的を達成する。したがって、輸送状態を象徴するとともに、第１構造体が、第１形態と第２形態とをとり、上記第１形態は、上記第２形態と比べて縮小した断面を有しているとともに、各断面が拡張される第２形態に拡張可能であり、上記第２形態は、両自由端に多角形断面を有し且つ両自由端に向かって最大拡張断面から当該多角形断面へ次第に細くなる、対の切頭角錐構造によって定義され、複数の第１構造体は互いに連結されることができるとともに、上記連結された第１構造体は、上記最大拡張断面の端点を繋ぎ合わせる追加格子ロッドとともに、格子ロッドによって接続されることにより、第２最終構造を形成することができる。
【０００５】
これによって、格子支持構造体は、輸送状態における第１縮小断面サイズから機能状態における拡大断面サイズへ変換することができ、関節式に接続された構造体の拡張状態の断面に対応する拡大断面を有する。これに対応して、第１構造体を拡張した後、剛の格子支持構造によって機能状態で要求される安定性を得られるように、それぞれの拡張された断面が対応する格子ロッドによって、周方向及び構造物全体の軸方向に接続される。
【０００６】
本発明の好適な態様は、主請求項に続く従属請求項による。
【０００７】
したがって、格子支持構造体は三角形状または矩形状の断面を有することできる。しかし、断面は正方形であることが好ましい。
【０００８】
支柱は、最大拡張断面の領域内に在り、好ましくは関節式に接続されており、それにより上記断面は拡張又は折畳みが可能となる。
【０００９】
互いに関節式に接続された支柱は、折畳み時の第１構造体の縮小した断面に対応する中心部を備えることができる。
【００１０】
連接された支柱は、これらの中心部の角から最大拡張断面の角へと延びている。
【発明を実施するための最良の形態】
【００１１】
本発明の更なる特徴、詳細、利点は以下の図面で示す実施の形態によって示す。
【００１２】
図１は、３つの位置ごとの格子支持構造体の第１構造体１０を示す図であり、図１ａは、格子支持構造体の第１構造体１０のデザインを示す。格子ロッド１２は接点１４によって接続されており、これによって、正方形断面を有する細長い柱状体に連接されている。図１ａでは、長手方向にほぼ一定に引き延ばされた縮小した断面１５が形成されている。図１ｂと図１ｃは、第１構造体１０の中央部が矢印方向ａに向かって拡張される様子をそれぞれ示している。インナー支柱１８、２０は、この目的のために設けられ、同様に関節式に接続されており、例えば、図１ａから図１ｃに示すウィンチ２１によって矢印方向ｂに拡張できる。中央部が最大拡張状態となることにより、図１ｃに示すように、両自由端に向かって次第に細くなる、対の実質的に切頭角錐構造となる。自由端はそれぞれ断面１６を有し、最大拡張状態の断面である断面２２は、断面１６に比べてかなり大きな断面となる。第１構造体１０の内部で関節式に接続された支柱は、４本のクロス支柱１８と、正方形をなす４本の支柱で構成される中央中心部２０とからなり、この正方形は第１構造体のそれぞれの端部と同じ断面を有する。図１ｃに示す第１構造体を折り畳むには、関節式に接続された格子全体が折り畳まれて、図１ａとほぼ同じ状態となるよう引き締められるように、インナー支柱構造１８、２０に方向ｃの力を作用させる。
【００１３】
図１ｃのように、格子支持構造体の第１構造体を拡張し、複数の第１構造体１０が互いに接続され、それぞれの拡張断面の領域で接続される追加格子ロッド２４、２６を介して繋ぎ合わされているので、安定した第２構造体が得られる。
【００１４】
その結果、図３に示すような格子支持構造体５は、機能状態になる。格子支持構造体５は断面２２を有する。図４は、同様の格子支持構造体を示す図であり、断面が正方形でなく三角形である点が、図１から図３の構造とは異なる。
【００１５】
図４に示す実施形態では、図１から図３に示す実施形態における構成要素と同一の構成要素は、同じ符号で示す。
【００１６】
図５に示す格子支持構造５は、機能状態に組立てられた、回転タワークレーンの支持構造を示す。図６は、格子支持構造５の機能状態を示しており、同図では、格子支持構造５はケーブル掘削機のブームとなる。
【図面の簡単な説明】
【００１７】
【図１】拡張時の３つの段階における格子支持構造体の第１構造体を模式的に示している。
【図２】拡張した第１構造体と、第１構造体をつなぐための対応する格子ロッドの取り付け前の状態を模式的に示している。
【図３】組立てられた格子支持構造体の第２構造体を示している。
【図４】他の実施の形態に係る格子支持構造体の第１構造体を示している。
【図５】対応する応用例における格子支持構造体を示している。
【図６】対応する応用例における格子支持構造体を示している。
【符号の説明】
【００１８】
５ 格子支持構造体
１０ 第１構造体
１２ 格子ロッド
１５ 縮小した断面
２４、２６ 追加格子ロッド
【図１】
0004896027.tif 000002
【図２】
0004896027.tif 000003
【図３】
0004896027.tif 000004
【図４】
0004896027.tif 000005
【図５】
0004896027.tif 000006
【図６】
0004896027.tif 000007